(57)【要約】【課題】本発明の課題は、収納時と使用時の移動で車内の荷物や人への干渉が少ない後部車窓位置移動表示板取付具を提供することである。【解決手段】本発明の後部車窓位置移動表示板取付具は、表示面を有する表示器を支持する支持板を収納部から水平移動手段により水平移動するに伴って支持板が傾斜し、表示面を後部窓に略平行な配置を達成する手段を備える。【選択図】図１
2020040467.tif 000002
【特許請求の範囲】
【請求項１】
車内の内側から後部窓に表示面を略平行に配置させて外部に表示を行わせるものであって、前記表示面を有する表示器を支持する支持板と、前記支持板を前記車内の天井に略平行に収納する収納部と、前記支持板を前記収納部から水平移動する水平移動手段と、
前記支持板が前記後部窓方向に前記水平移動する場合に、前記水平移動に伴って前記支持板が傾斜し、前記表示面を前記後部窓の略平行な配置を達成するための水平移動支持板回転手段と、を備えたことを特徴とする後部車窓位置移動表示板取付具。
【請求項２】
前記水平移動支持板回転手段は、互いに回転結合部で連結した複数の前記支持板で構成され、前記水平移動により、前記支持板の一部が前記収納部が外れたことで、前記支持板が自重により傾斜することを特徴とする請求項１記載の後部車窓位置移動表示板取付具。
【請求項３】
前記回転結合部を有する前記支持板間には、前記傾斜を決める回転ストッパを備えたことを特徴とする請求項２記載の後部車窓位置移動表示板取付具。
【請求項４】
前記前記支持板を載せる前記収納部の前記窓側端の先端は、前記支持板の移動と戻りを容易にする下にカーブした曲折部を備えたことを特徴とする請求項２又は請求項３記載の後部車窓位置移動表示板取付具。
【請求項５】
水平移動支持板回転手段は、前記支持板を前記収納部内で回転可能に支持する軸を備え、前記水平移動手段の前記水平移動によって、前記軸を回転する歯車又はプーリーを備えるか、又は、前記軸の回転によって、逆に前記水平移動を行わせることで、前記水平移動と前記軸の回転を同時に行わせることを特徴とする請求項１記載の後部車窓位置移動表示板取付具。
【発明の詳細な説明】
【技術分野】
【０００１】
本発明は、後部車窓位置に配置され、車窓の内部から外部に向かい表示する表示板を表示位置と収納位置で移動することが可能な取付具に関するものである。
【背景技術】
【０００２】
図６は、従来の表示板の例を示す図である。特許文献１に示されているが、６−Ａでは、車の屋根の上に配置されているものであるが、表示板が走行中の風圧を受けるため、走行の邪魔になったり、表示板が破損する恐れもあり、風圧を避けるため、風を逃がすため、複数の短冊状の表示板の間をあけてこの空間から風を通過させる提案もある。風圧に対応するためには頑丈に構成する必要もある。
特許文献２に示されているが、６−Ｂでは、窓ガラスに表示パネルを積層したものが示されている。
特許文献３に示されているが、６−Ｃでは、窓ではないが、車の荷室後面に電光標示板を取り付け、未使用時は標示面を遮蔽するものが示されている。
更に、６−Ｄに示すような、車窓の内面に適度の間隔で配置された複数の短冊状の発光手段による表示器を設置するものも見ることができる。６−Ａでは、風を逃がすための構造であったが、６−Ｄでは、室内であり風の影響はないため、複数の短冊で構成する理由は、運転者が後部窓の後ろの状況を隙間越しに見えるようにするためである。６−Ｂや６−Ｃでは、後部を見るための配慮はなされていない。表示板は、破損防止の観点からは、窓の内側が良い、更に外側では、破損すると道路に散らばり危険性が増す。両方の観点でも窓の内側に表示部が有ることが好ましい。しかし、後部を見るためには、表示部は邪魔になる。特に、いつも表示しているわけではなく、ゆっくり走りながら表示している場合もあるが、多くは、路肩に停止して表示している場合が多い。使用しない場合は、後部窓を遮蔽しない位置に表示部を収納することが望ましい。収納する場合は、極力、車内にある荷物や人体に接触しないで移動されることが好ましい。
【先行技術文献】
【特許文献】
【０００３】
【特許文献１】特開２０１８−４７８８３
【特許文献２】特表２００４−５２９３９２
【特許文献３】実開平４−１１９７３０
【発明の概要】
【発明が解決しようとする課題】
【０００４】
本願の課題は、表示位置のほぼ窓面に沿った表示面位置から、天井面に沿った収納位置の間で移動され、その場合、車内にある荷物や人体に接触しない移動を可能とする後部車窓位置移動表示板取付具を提供することである。
【課題を解決するための手段】
【０００５】
以下請求項に沿い記述する。
請求項１記載の発明は、後部車窓位置移動表示板取付具であって、
車内の内側から後部窓に表示面を略平行に配置させて外部に表示を行わせるものであって、前記表示面を有する表示器を支持する支持板と、前記支持板を前記車内の天井に略平行に収納する収納部と、前記支持板を前記収納部から水平移動する水平移動手段と、
前記支持板が前記後部窓方向に前記水平移動する場合に、前記水平移動に伴って前記支持板が傾斜し、前記表示面を前記後部窓の略平行な配置を達成するための水平移動支持板回転手段と、を備えたことを特徴とする。
【０００６】
請求項２記載の発明は、請求項１記載の後部車窓位置移動表示板取付具において、
前記水平移動支持板回転手段は、互いに回転結合部で連結した複数の前記支持板で構成され、前記水平移動により、前記支持板の一部が前記収納部が外れたことで、前記支持板が自重により傾斜することを特徴とする。
【０００７】
請求項３記載の発明は、請求項２記載の後部車窓位置移動表示板取付具において、
前記回転結合部を有する前記支持板間には、前記傾斜を決める回転ストッパを備えたことを特徴とする。
【０００８】
請求項４記載の発明は、請求項２又は請求項３記載の後部車窓位置移動表示板取付具において、前記前記支持板を載せる前記収納部の前記窓側端の先端は、前記支持板の移動と戻りを容易にする下にカーブした曲折部を備えたことを特徴とする。
【０００９】
請求項５記載の発明は、請求項１記載の後部車窓位置移動表示板取付具において、
水平移動支持板回転手段は、前記支持板を前記収納部内で回転可能に支持する軸を備え、前記水平移動手段の前記水平移動によって、前記軸を回転する歯車又はプーリーを備えるか、又は、前記軸の回転によって、逆に前記水平移動を行わせることで、前記水平移動と前記軸の回転を同時に行わせることを特徴とする。
【発明の効果】
【００１０】
以上の様に構成されているので、本発明による後部車窓位置移動表示板取付具により、車内にある荷物や人体に接触しない移動ができ、使用しない場合は、窓面をほぼ全面見える状態に出来る。
【図面の簡単な説明】
【００１１】
【図１】本発明にかかる後部車窓位置移動表示板取付具の一実施態様を示す図である。
【図２】本発明にかかる後部車窓位置移動表示板取付具の具体的実施態様を示す図である。
【図３】本発明にかかる後部車窓位置移動表示板取付具の他の具体的実施態様を示す図である。
【図４】本発明にかかる後部車窓位置移動表示板取付具の他の具体的実施態様を示す図である。
【図５】本発明にかかる後部車窓位置移動表示板取付具の他の具体的実施態様を示す図である。
【図６】車に取り付ける従来の表示板の例を示す図である。
【発明を実施するための形態】
【００１２】
図１は、本発明にかかる後部車窓位置移動表示板取付具の一実施態様を示す図である。
１−Ａでは、車の後部窓１１０の内側に表示器の表示面１２０をほぼ窓面に添わせて配置された状態と点線でしめされるように、表示器の表示面１２０を天井面に沿って収納された状態とを示している。この図で見るように、表示器を備えた軸１３０は、スライドレール１４０に沿って、左右に移動するが、左端では、表示面１２０を天井面に沿って収納された状態から、右端では、表示面１２０をほぼ窓面に添った状態に９０°回転する。その間、スライドするにつれ、軸は回転している。このため、スライドしないで単に回転する場合に比べて、車内にある荷物や人体に接触しない移動を可能となる。後ろの車窓側から見た場合１−Ｂでは、収納された状態であり、１−Ｃでは、表示面１２０がほぼ窓面に添った状態である。以上のような移動を可能とする後部車窓位置移動表示板取付具の具体的構成を図２から図５に示す。
【００１３】
図２は、本発明にかかる後部車窓位置移動表示板取付具の具体的実施態様を示す図である。
２−Ａには、軸１３０の有するピニオン歯車１３１とスライドレール１４０の間が、ピニオンラックの関係にあり、平行移動すると、軸１３０が回転する構造になっている。２−Ｂには、この具体的構成の例を示す。モータ２１０の回転軸２２０に取りついた第一連結歯車２３０（半径ｓ）とこれと連結して動き、軸１３０を回転する第二連結歯車２４０（半径ｔ）がある。モータ２１０が回転すると、軸１３０も回転する。軸１３０には、ピニオン歯車１３１（半径ｕ）があり、モータ２１０が設置された台座２５０に固定されたラック歯１４０にかみ合っているため、軸１３０が回転すると、台座２５０に対して軸１３０は水平移動する。軸１３０は、台座２５０に付いたスライド溝２６０に沿い移動する。同時にモータ２１０も移動する。台座２５０とモータ２１０が付いた据えつけ台２７０もスライドを助けるよう溝結合部２８０で噛みあっている。このようにモータ２１０の回転に応じて軸１３０が回転し、同時に軸が水平に移動する構成になっている。尚、モータ２１０は、反転が可能なステッピングモータが好ましい。
【００１４】
図３は、本発明にかかる後部車窓位置移動表示板取付具の他の具体的実施態様を示す図である。図２と比べると、モータ部が移動しないでよいので構成が簡単でよい。３−Ａにおいて、モータ２１０は、回転するとワイヤ３１０を引く。ワイヤ３１０は、左端で軸１３０に結合されている。同時に、ワイヤ３１０は右端において滑車により方向を変え、軸１３０の反対側でも結合している。従って、モータ２１０が回転と反回転を行うと、軸１３０は右または左に移動する。軸に付いているピニオン歯車３２０は、ラック歯３３０と結合しているので、軸１３０の平行移動につれて回転する。従って、軸１３０についた表示板の表示面も角度を変えることになる。３−Ｂには、その構成を横から見た場合の図である。ここでは、モータ２１０とワイヤ３１０は示されていない。ワイヤ結合部３４０が軸１３０に付いている。ワイヤ結合部３４０は、軸１３０との間は、回転結合をしている。ワイヤ３１０の引く方向は常に同じ方向（この図では水平方向）であるが、軸１３０は回転するためである。モータ２１０の回転により、ワイヤ結合部３４０を介してワイヤ３１０が引かれ、平行移動し、同時に台座２５０についたラック３３０とピニオン歯車３２０の結合により、軸１３０は、平行移動とともに回転する。
【００１５】
図４は、本発明にかかる後部車窓位置移動表示板取付具の他の具体的実施態様を示す図である。この図では、モータ２１０の回転により、ワイヤ３１０が引かれ、第三連結歯車４１０（半径ｗ）が回転し、これと同軸になった第四連結歯車４２０（半径ｒ）が回転し、これに噛みあう第五連結歯車４３０（半径Ｒ）が回転することで軸１３０が回転する。ワイヤ３１０がＬ移動する場合の各歯車の半径の関係は、図のようになり、
Ｒ＝２ｒＬ／πｗ  の関係がある。
図４のものだけでなく、図２、図３に示すものは、移動距離と各歯車、又はラック歯の間には、類似の考えが成立する。尚、図４と図２との違いは、図２は歯車結合のみだったが、図４は、ワイヤ結合になっているだけであり、図２での回転を水平移動に変えるピニオンラック等の手段は記述を省略してある。
【００１６】
図５は、本発明にかかる後部車窓位置移動表示板取付具の他の具体的実施態様を示す図である。
図２から図４は、表示面の傾斜を水平移動と関連づけた歯車の回転により決定した。
図５では、傾斜を板面の自重による回転を使う。場合によっては、更に、回転を制限して規定する回転ストッパを使用する。回転は、表示板とこれを支持する複数の支持板が複数の回転結合を介して接続し、スライドレールを移動して、各支持板がレールの先端からでてその束縛がなくなったところで自重により下がるように回転する。回転部には、回転角を規定する回転ストッパがあると好都合である。
図５で詳細に記述する。
５−Ａにおいて、この例では３枚の支持板５１０（Ａ、Ｂ、Ｃ）が、回転結合部５２０を介して接続している。１）では、一番左側（収納位置）にあり、全ての回転結合部５２０がレール５３０上にあるので、回転はしていない。２）では、モータ２１０が回転して、支持板５１０が右に移動し、支持板５１０のＣのみが、レール５３０が外れるため、自重により回転傾斜してくる。３）では、モータ２１０が更に回転して、支持板５１０が更に右に移動し、支持板５１０のＢも、レール５３０が外れるため、自重により回転傾斜し、Ｃでは、図示しない車窓の窓面に略平行に配置され、表示に供される。当然のことながら、Ｃに表示板の表示面がある。
５−Ｃには、回転結合部５２０周辺を拡大して示す。各支持板５１０の間は、回転結合部５２０で結合されるのは当然として、各支持板５１０には、回転角度を所望の値に決める回転ストッパ５４０があると好都合である。この例では、各支持板５１０上に互いに干渉して動きを止める突起が付いている。
５−Ｂには、５−Ａのものを斜視図で示す。１）の状態に対応した図となっている。
５−Ａと同じ番号を付けてあるので重複した説明は省く。モータ２１０の回転により動くワイヤ３１０は、先端に近い位置で歯車や滑車等の向き反転手段５５０で反転し、再びモータ２１０についた歯車へ戻っている。ワイヤ３１０の途中で、いずれかの支持板５１０（この例ではＡ）に結びついている。そのため、モータ２１０の回転により支持板５１０は左右のいずれかの動きをする。尚、この図では、レール５３０の上に固定して、支持板５１０がガイドされるガイドレール５３０Ａも描いてある。尚、レール５３０の窓側端の先端は、支持板の移動と戻りを容易にするように下にカーブした曲折部を有すると好都合である。
【００１７】
尚、以上の記述で歯車の代わりにプーリーを使用することができる。尚、全ての例で駆動力としてモータの例を挙げたが、これにこだわるものでは無く、例えば、バネ等の復元力を使った駆動も可能である。これは、引き出すあるいは収納への戻りのいずれか一方か、又は、複数の復元手段を使うことで両方も可能である。
【産業上の利用可能性】
【００１８】
以上のように本発明にかかる後部車窓位置移動表示板取付具は、車の天井に沿った収納位置から後部窓面方向へ移動すると、移動に伴って表示板を取り付けた支持板が回転し、窓面の略平行に配置され、移動に伴う空間が小さいため、車内の荷物や人に当たる恐れが小さく、又収納も可能なので、産業上利用して極めて好都合である。
【００１９】
１１０  後部窓
１２０  表示面
１３０  軸
１３１、３２０  ピニオン歯車
１４０  スライドレール
２１０  モータ
２２０  回転軸
２３０  第一連結歯車
２４０  第二連結歯車
２５０  台座
２６０  スライド溝
２７０  据えつけ台
２８０  溝結合部
３１０  ワイヤ
３３０  ラック歯
３４０  ワイヤ結合部
４１０  第三連結歯車
４２０  第四連結歯車
４３０  第五連結歯車
５１０  支持板
５２０  回転結合部
５３０  レール
５３０Ａ  ガイドレール
５４０  回転ストッパ
５５０  向き反転手段
【図１】
2020040467.tif 000003
【図２】
2020040467.tif 000004
【図３】
2020040467.tif 000005
【図４】
2020040467.tif 000006
【図５】
2020040467.tif 000007
【図６】
2020040467.tif 000008